(57)【要約】  本発明は、セキュリティインクとデコーダ基材とを含むセキュリティキットであって、該セキュリティインクが、少なくとも１種の着色剤と少なくとも１種のマーカー物質を含み、着色剤とマーカー物質とは反対の溶解性を有しており、該デコーダ基材が該マーカー物質を吸収することができる、セキュリティキットに関し、及びまた、セキュリティインクに関する。【特許請求の範囲】
【請求項１】
セキュリティインクとデコーダ基材とを含むセキュリティキットであって、前記セキュリティインクが、少なくとも１種の着色剤と少なくとも１種のマーカー物質とを含み、着色剤とマーカー物質とは反対の溶解性を有しており、かつ前記デコーダ基材が前記マーカー物質を吸収することができる、セキュリティキット。
【請求項２】
使用される着色剤が、キナクリドン顔料、フタロシアニン顔料、アゾ顔料、ジオキサジン顔料、インジゴイド顔料、イソインドリノン顔料、ペリレン顔料、ペリノン顔料若しくはピロロピロール顔料、又は分散染料、油溶性染料若しくはバット染料である、請求項１に記載のセキュリティキット。
【請求項３】
カーボンブラックが着色剤として使用される、請求項１に記載のセキュリティキット。
【請求項４】
使用される前記マーカー物質が、可溶性蛍光化合物、又はアゾカップリング反応でカップリング成分として作用することができる有機化合物を含む、請求項１〜３のいずれか一項に記載のセキュリティキット。
【請求項５】
使用される前記デコーダ基材が、セルロース、綿、羊毛、絹、ポリアミド（ナイロン）、ポリアクリロニトリル、ポリプロピレン若しくはポリエステルからできているシート状織物基材、又は紙、ポリエステル、ポリウレタン、ゴム、ニトロセルロース若しくは皮革からできているシート状非織物基材を含む、請求項１〜３のいずれか一項に記載のセキュリティキット。
【請求項６】
少なくとも１種の水不溶性着色剤と、アゾカップリング反応でカップリング成分として作用することができる有機化合物とを含む水性セキュリティインク。
【請求項７】
アゾカップリング反応でカップリング成分として作用することができる前記有機化合物が、一連のピリドン、ピラゾロン、アミノベンゼン誘導体、ヒドロキシベンゼン誘導体、アミノナフタレン誘導体、又はヒドロキシナフタレン誘導体に由来する化合物である、請求項６に記載の水性セキュリティインク。
【請求項８】
筆記可能または印刷可能な基材が、前記セキュリティインクを用いて筆記され、又は印刷され、そしてこのように作製された文書が、前記マーカー物質を原本若しくは印刷物の小領域から前記デコーダ基材上に転写し、前記マーカー物質が前記デコーダ基材上で可視であるか又は可視化されることによって信憑性について試験される、請求項１〜５のいずれか一項に記載のセキュリティキットの使用。
【発明の詳細な説明】
【技術分野】
【０００１】
本発明は、セキュリティインクとデコーダ基材とを含むセキュリティキットであって、該セキュリティインクが、着色剤とマーカー物質とを含み、着色剤とマーカー物質とは反対の溶解性を有しており、かつ該デコーダ基材が該マーカー物質を吸収することができる、セキュリティキットに関する。
【背景技術】
【０００２】
多くの分野で、文書の信憑性を保証することに大きな関心がもたれている。偽造に対して保護することが知られている１つの方法は、めだたなさにより裸眼で気づかれなくする、付加的な二次情報を使用することである。印刷方法及び／又は印刷流体において、励起して蛍光を発し、それによって同様に、偽造防止のセキュリティを増すことができる有機分子を使用することがまた、知られている。しかしながら、これらの方法は、非常に高価な、及び／又は複雑な装置を必要とするか、或いはそれらの特異性が低いために、正確な識別をするために必要なはっきりした差異を与えることができないという欠点を有する。
【発明の開示】
【発明が解決しようとする課題】
【０００３】
したがって、本発明の目的は、十分な特異性を与える手段と方法とを提供することである。
【課題を解決するための手段】
【０００４】
今や、意外なことに、以下に記載される性質を有する、第１にセキュリティインクと第２にデコーダ基材とを提供することによって、この目的が達成されることを見いだした。
【０００５】
本発明は、セキュリティインクとデコーダ基材とを含むセキュリティキットであって、該セキュリティインクが、少なくとも１種の着色剤と少なくとも１種のマーカー物質とを含み、着色剤とマーカー物質とが反対の溶解性を有しており、かつ該デコーダ基材が前記マーカー物質を吸収することができる、セキュリティキットに関する。
【発明を実施するための最良の形態】
【０００６】
好適な着色剤は、一般に、例えば、インクに使用されるすべての着色剤である。
【０００７】
従って、キナクリドン顔料、フタロシアニン顔料、アゾ顔料、ジオキサジン顔料、インジゴイド顔料、イソインドリノン顔料、ペリレン顔料、ペリノン顔料若しくはピロロピロール顔料、又は分散染料、油溶性染料若しくはバット染料などの水不溶性着色剤が好適である。特に好ましいものとしては、Ｃ．Ｉ．Ｐｉｇｍｅｎｔ  Ｂｌｕｅ  １５：４、Ｃ．Ｉ．Ｐｉｇｍｅｎｔ  Ｒｅｄ  １２２、Ｃ．Ｉ．Ｐｉｇｍｅｎｔ  Ｙｅｌｌｏｗ  ７４、Ｃ．Ｉ．Ｄｉｓｐｅｒｓｅ  Ｂｌｕｅ  ６０、Ｃ．Ｉ．Ｄｉｓｐｅｒｓｅ  Ｒｅｄ  ９２、Ｃ．Ｉ．Ｄｉｓｐｅｒｓｅ  Ｙｅｌｌｏｗ  １１４、特には、Ｃａｒｂｏｎ  Ｂｌａｃｋがあげられる。
【０００８】
しかしながら、極めて良好な水溶性を有するが、トルエン、アセトン、クロロホルム、リグロイン、ヘキサン、シクロヘキサン、エチルアセトアセテート、ジエチルエーテル、エタノール、メタノール、又は塩化メチレンなどの炭化水素に溶解性が乏しいかまたは不溶である着色剤も好適である。このような着色剤の例としては、Ｃ．Ｉ．Ｒｅａｃｔｉｖｅ  Ｂｌａｃｋ  ８及び３１、Ｃ．Ｉ．Ｒｅａｃｔｉｖｅ  Ｒｅｄ  ２３、１２０、１４１、及び１８０、Ｃ．Ｉ．Ｄｉｒｅｃｔ  Ｂｌｕｅ８６及び１９９、Ｃ．Ｉ．Ｄｉｒｅｃｔ  Ｙｅｌｌｏｗ  ８６及び１３２、Ｃ．Ｉ．Ｄｉｒｅｃｔ  Ｂｌａｃｋ  １６８、Ｃ．Ｉ．Ａｃｉｄ  Ｙｅｌｌｏｗ  ２３、Ｃ．Ｉ．Ａｃｉｄ  Ｒｅｄ  ５２、Ｃ．Ｉ．Ａｃｉｄ  Ｂｌａｃｋ  １９４、並びにＣ．Ｉ．Ｆｏｏｄ  Ｂｌａｃｋ  ２が挙げられる。
【０００９】
本発明の目的のためのマーカー物質は、例えば可溶性物質、例としては、Ｃ．Ｉ．Ａｃｉｄ  Ｙｅｌｌｏｗ  ８３などの水溶性染料などであり、又は、例えば可溶性蛍光化合物、特には蛍光増白剤であるか、或いは、アゾカップリング反応でカップリング成分として作用することができる（すなわち、ジアゾニウム塩と反応してアゾ染料を形成する）有機化合物である。
【００１０】
好ましい蛍光増白剤としては、特に、例えば、ジアミノスチルベンジスルホン酸系、ヘテロ芳香族エチレン誘導体系、クマリン系、ジアリールピラゾリン系、ナフチルイミド系、キノロン系若しくはベンゾオキサゾール系、ベンゾイソオキサゾール系、及びベンゾイミダゾール系に属する市販品がある。さらに、トリアゾール系及びベンゾチアゾール系の製品類に由来する、強く蛍光を発する化合物を有利に使用することができる。例として、７−アミノ−２−（４−アミノ−２−スルホフェニル）−２Ｈ−ナフト［１，２−ｄ］［１，２，３］−トリアゾール−５，９−ジスルホン酸又は２−（４−アミノフェニル）−６−メチルベンゾチアゾールを挙げることができる。
【００１１】
本発明の意味でマーカー物質として作用することができるカップリング成分は、特に一連のピリドン系、ピラゾロン系、アミノベンゼン誘導体、ヒドロキシベンゼン誘導体、アミノナフタレン誘導体、及びヒドロキシナフタレン誘導体に由来する。
【００１２】
本発明の意味で好ましいマーカー物質は、例えば、Ｃ．Ｉ．Ｆｌｕｏｒｅｓｃｅｎｔ  Ｂｒｉｇｈｔｎｅｒｓ  １２７、１８４、１９９及び３９３などの、プラスチック及び合成繊維用の市販の蛍光増白剤などの水不溶性化合物、及びまた他の、スルホン酸基又はカルボン酸基（例えば、Ｃ．Ｉ．Ｓｏｌｖｅｎｔ  Ｙｅｌｌｏｗ  １６０）などの水可溶化置換基をもたない強く蛍光を発する物質、並びにまた、特に、Ｃ．Ｉ．Ｆｌｕｏｒｅｓｃｅｎｔ  Ｂｒｉｇｈｔｎｅｒｓ  ８５、１１３、１８６、１９０、２２０、及び２６０などの、綿及び紙などのセルロース繊維用の市販の蛍光増白剤などの水溶性物質、及びまた他の、スルホン酸基又はカルボン酸基などの水溶性置換基を有する強く蛍光を発する物質である。
【００１３】
着色剤とマーカー物質とは、反対の溶解性を有さなければならない。本発明において、このことは、例えば、着色剤が水不溶性である場合、マーカー物質は水溶性でなければならず、そして着色剤が水溶性である場合、マーカー物質は水不溶性でなければならないことを意味する。
【００１４】
本発明におけるセキュリティインクは、好ましくは、水不溶性着色剤、および、それゆえに、水溶性マーカー物質を含む水性インクである。特に好ましい本発明におけるセキュリティインクは、マーカー物質として、蛍光化合物、又はアゾカップリング反応でカップリング剤として作用することができる有機化合物を含む市販の各種カーボンブラックインクである。さらに、蛍光化合物と、アゾカップリング反応でカップリング成分として作用することができる有機化合物との混合物をマーカー物質として含むカーボンブラックインクが、特に好ましい。この場合のマーカー物質の量は、セキュリティインクの総重量を基準として、好ましくは０．０１〜２重量％である。
【００１５】
本発明の文脈におけるデコーダ基材は、マーカー物質を吸収することができ、その表面でマーカー物質が可視であるか、又は可視化され得る基材である。この基材は、吸収性があり、それゆえに、マーカー物質が溶解する、水及び／又は有機液体を、捕捉することができるデコーダ基材を含む。好ましいデコーダ基材は、シート状の、織物基材または非織物基材である。特に好ましいシート状の織物基材は、例えば、セルロース、綿、羊毛、絹、ポリアミド（ナイロン）、ポリアクリロリトリル、ポリプロピレン、又はポリエステルからできているものである。特に好ましいシート状の非織物基材は、例えば、紙、ポリエステル、ポリウレタン、ゴム、ニトロセルロース、又は皮革からできているものである。とりわけ好ましいデコーダ基材は、ろ紙である。
【００１６】
本発明のセキュリティキットは、紙基材又はシート状プラスチック基材などの筆記可能な基材または印刷可能な基材に該セキュリティインクを用いて印刷または記載することによって有利に使用される。
【００１７】
このように作製された文書を信憑性について試験する場合に、マーカー物質は、原本又は印刷物の小領域からデコーダ基材に転写され、そしてデコーダ基材上で可視であるか、又は可視化される。
【００１８】
マーカー物質の転写および可視化については、その物質に依存する。例えば、使用されるマーカー物質が水溶性蛍光化合物である場合、好ましいデコーダ基材はろ紙であり、このろ紙を水で湿めらせて、数秒間試験基材と密接に接触させる。デコーダ基材の表面に拡散したマーカー物質は、紫外線への暴露および特有の蛍光の帰属によって同定することができる。使用されるマーカー物質が、アゾカップリング反応でカップリング剤として作用することができる有機化合物である場合、同様に、湿ったろ紙への転写が適切である。次いで、ろ紙表面で好適なジアゾニウム塩（例えば、市販のｆａｓｔ  ｓａｌｔ）と接触させ、その後発現したアゾ染料の特徴付けを行う。
【００１９】
マーカー物質に依存して、さらなる検出方法もまた用いることができる。言及し得る一例は、近赤外分光法の検出方法である。
【００２０】
本発明のセキュリティキットは、セキュリティインクとデコーダ基材のみでなく、またさらなる手段を含んでもよい。このようなさらなる手段の例としては、マーカー物質の検出に必要な手段、例えば、アゾカップリング反応でカップリング剤として作用することができる有機化合物を検出するための各種ジアゾニウム塩（ｆａｓｔ  ｓａｌｔｓ）があげられる。
【００２１】
デコーダ基材に浸透でき、そしてマーカー物質を試験下の文書より抽出することができる溶媒または溶媒混合物も可能である。
【００２２】
本発明におけるセキュリティインクのあるものは知られている。例えば、ＫＲ１０  ２００４  ００６０３９３Ａ号の要約書には、不溶性顔料に加えて蛍光染料も含むインクが記載されている。その一方で、マーカー物質として、アゾカップリング反応でカップリング成分として作用することができる有機化合物を含むセキュリティインクは、なお依然として新規である。
【００２３】
本発明は、それゆえ、少なくとも１つの水不溶性着色剤と、アゾカップリング反応でカップリング成分として作用することができる有機化合物とを含む水性セキュリティインクを提供する。
【００２４】
好ましい水不溶性着色剤と、アゾカップリング反応でカップリング成分として作用することができる有機化合物とは、それぞれ、上記で好ましいとして特定された、着色剤と化合物とである。
【００２５】
本発明におけるセキュリティインクは、例えば、インクの総重量を基準として、０．１重量％〜５０重量％、好ましくは１重量％〜３０重量％、さらに好ましくは１重量％〜１５重量％の量で着色剤を含む。
【００２６】
アゾカップリング反応でカップリング成分として作用することができる有機化合物は、本発明のセキュリティインク中に、デコーダ基材上に発現されたアゾ染料を信頼できるものとして検出することを可能とするのに少なくとも十分な量で存在していなければならない。
【００２７】
通常、セキュリティインクの総重量を基準として、０．０１重量％〜２重量％がこの目的に十分である。
【００２８】
本発明におけるセキュリティインクは、当然ながら、さらにインクに通例の助剤および添加物も含む。当業者であればこれら助剤および添加物について知るところである。
【００２９】
本発明のセキュリティキットの利点は、文書の信憑性の試験を大きな技術的費用や複雑さ無しで実際上どこでも実施することができるという理由から、特にその使い易さにある。例えば、上述の方法は、さらに予備処理すること無く、市販の印刷紙および印刷機を使用してマーク入り文書を作製することができるので、情報担体の製造に関して特別に必要なこともまったくない。一方、デコーダ基材によるその後の同定がないと、マーキングを認識できず、その結果、製品がマークされているのか直ちには全く明らかではない。
【００３０】
以下の実施例は本発明を例示するものである。
【実施例】
【００３１】
実施例１
カーボンブラックをベースとした１００ｇの市販の黒色インク（black ink）と１ｇのＣ．Ｉ．Ｆｌｕｏｒｅｓｃｅｎｔ  Ｂｒｉｇｈｔｅｒ  ２２０とを混合した。このインクを用いて印刷した文書の信憑性について、少量の水で湿らせた綿布を文書の印刷領域に約５秒間押圧することによって保証した。綿布上の押印（ｉｍｐｒｉｎｔ）を紫外線下で可視化した。
【００３２】
実施例２
Ｃ．Ｉ  Ｐｉｇｍｅｎｔ  Ｂｌｕｅ  １５：４、Ｃ．Ｉ．Ｐｉｇｍｅｎｔ  Ｒｅｄ  １２２、およびＣ．Ｉ．Ｐｉｇｍｅｎｔ  Ｙｅｌｌｏｗ  ７４をベースとした１００ｇの市販の顔料インクと０．１ｇのＣ．Ｉ．Ｆｌｕｏｒｅｓｃｅｎｔ  Ｂｒｉｇｈｔｎｅｒ  ２６０とを混合した。このインクを用いて印刷した文書の信憑性について、少量の水で湿らせたセルロースろ紙を文書の印刷領域に約５秒間押圧することによって保証した。セルロースろ紙上の押印を紫外線下で可視化した。
【００３３】
実施例３
カーボンブラックをベースとした１００ｇの市販のインクと０．５ｇの７−アミノ−２−（４−アミノ−２−スルホフェニル）−２Ｈ−ナフト［１，２−ｄ］［１，２，３］トリアゾール−５，９−ジスルホン酸とを混合した。このインクを用いて印刷した文書の信憑性について、少量の水で湿らせた羊毛布を文書の印刷領域に約５秒間押圧することによって保証した。羊毛布上の押印を紫外線下で可視化した。
【００３４】
実施例４
Ｃ．Ｉ．Ｄｉｓｐｅｒｓｅ  Ｂｌｕｅ  ６０、Ｃ．Ｉ．Ｄｉｓｐｅｒｓｅ  Ｒｅｄ  ９２、およびＣ．Ｉ．Ｄｉｓｐｅｒｓｅ  Ｙｅｌｌｏｗ  １１４をベースとした１００ｇの市販のインクと０．５ｇのＣ．Ｉ．Ｆｌｕｏｌｅｓｃｅｎｔ  Ｂｒｉｇｈｔｎｅｒ  ２６０とを混合した。このインクを用いて印刷した文書の信憑性について、少量の水で湿らせたセルロースろ紙を文書の印刷領域に約５秒間押圧することによって保証した。セルロースろ紙上の押印を紫外線下で可視化した。
【００３５】
実施例５
カーボンブラックをベースとした１００ｇの市販のインクと、０．１ｇのＣ．Ｉ．Ｆｌｕｏｒｅｓｃｅｎｔ  Ｂｒｉｇｈｔｎｅｒ  １８６及び１ｇの４−アミノ−５−ヒドロキシナフタレン−２，７−ジスルホン酸とを混合した。このインクを用いて印刷した文書の信憑性について、少量の水で湿らせたセルロースろ紙を文書の印刷領域に約５秒間押圧することによって保証した。セルロースろ紙上の押印を紫外線下で可視化した。次いで、ろ紙をＦａｓｔ  Ｓｃａｒｌｅｔ  ＶＤ  ｓａｌｔの水溶液でコートした。赤い染料が発現された。
【００３６】
実施例６
１００ｇの市販の水溶性インクと０．２ｇのＣ．Ｉ．Ｆｌｕｏｒｅｓｃｅｎｔ  Ｂｒｉｇｈｔｎｅｒ  １２７とを混合した。このインクを用いて印刷した文書の信憑性について、少量のアセトンで湿らせたセルロースろ紙を文書の印刷領域に約５秒間押圧することによって保証した。セルロースろ紙上の押印を紫外線下で可視化した。さらに、マーカー物質を近赤外分光法記録により同定した。
【００３７】
実施例７
１００ｇの市販の水溶性インクと０．５ｇのＣ．Ｉ．Ｓｏｌｖｅｎｔ  Ｙｅｌｌｏｗ  １６０とを混合した。このインクを用いて印刷した文書の信憑性について、少量のトルエンで湿らせたセルロースろ紙を文書の印刷領域に約５秒間押圧することによって保証した。ろ紙上に紫外線下で蛍光を発する緑黄色の染料が存在した。
【００３８】
実施例８
１００ｇの市販の水溶性インクと０．２ｇの２−（４−アミノ−フェニル）−６−メチルベンゾチアゾールとを混合した。このインクを用いて印刷した文書の信憑性について、ニトロセルロース帯片を文書の印刷領域に約５秒間押圧することによって保証した。ニトロセルロース帯片上の押印を紫外線下で可視化した。
【００３９】
実施例９
カーボンブラックをベースとした１００ｇの市販のインクと０．５ｇのＣ．Ｉ．Ａｃｉｄ  Ｙｅｌｌｏｗ  ８３とを混合した。このインクを用いて印刷した文書の信憑性について、少量の水で湿らせたポリアミド（ナイロン）布を文書の印刷領域に約５秒間押圧することによって保証した。布上に、紫外線下で蛍光を発する緑黄色の染料が存在した。
【国際調査報告】
2008533267.tif 000002
2008533267.tif 000003
2008533267.tif 000004
2008533267.tif 000005
2008533267.tif 000006
2008533267.tif 000007